(57)【要約】【課題】  ケースに取り付けられたＬＥＤの点滅によって発信者確認ができ、これにより、音を出してはいけない環境においても発信者確認を行うことができる携帯電話機を提供する。【解決手段】  ＬＥＤ９ａ〜９ｃはケース外面に取り付けられている。制御部４内には、複数ビットからなるパターンを複数組み合わせたシーケンスパターンと、発信者識別番号（電話番号）とを対応させて記憶したメモリが設けられている。そして、着信があった時、制御部４は発信者の識別番号に基づいてメモリからシーケンスパターンを読み出し、音源装置１へ出力する。音源装置１は、着信メロディを生成してスピーカ８へ出力すると共に、上記シーケンスパターンによってＬＥＤ９ａ〜９ｃを駆動する。【選択図】    図１
2005136489.tif 000002
【特許請求の範囲】
【請求項１】
無線通信によって基地局と通信を行い、該基地局を介して他の通信端末と通信を行う携帯電話機において、
ケース外面に取り付けられた複数の発光素子と、
複数ビットからなるパターンを複数組み合わせたシーケンスパターンと、発信者識別番号とを対応させて記憶した記憶手段と、
着信があった時、発信者の発信者識別番号に基づいて前記記憶手段からシーケンスパターンを読み出す読出手段と、
前記読出手段によって読み出されたシーケンスパターンによって前記複数の発光素子を駆動する発光素子駆動手段と、
を具備することを特徴とする携帯電話機。
【請求項２】
前記発光素子駆動手段は、クロックパルスをカウントするカウント手段と、前記読出手段によって読み出されたシーケンスパターンを記憶し、前記カウント手段の出力に基づいて前記シーケンスパターンを構成する各パターンを順次出力するパターン記憶部とから構成されていることを特徴とする請求項１に記載の携帯電話機。
【請求項３】
無線通信によって基地局と通信を行い、該基地局を介して他の通信端末と通信を行う携帯電話機において、
ケース外面に取り付けられた複数の発光素子と、
複数ビットからなるパターンを複数組み合わせたシーケンスパターンと、発信者識別番号とを対応させて記憶した記憶手段と、
着信メロディを発生する着信メロディ発生手段と、
着信があった時、発信者の発信者識別番号に基づいて前記記憶手段からシーケンスパターンを読み出す読出手段と、
前記着信メロディに同期したタイミングで、かつ、前記読出手段によって読み出されたシーケンスパターンに従って前記複数の発光素子を駆動する発光素子駆動手段と、
を具備することを特徴とする携帯電話機。
【請求項４】
無線通信によって基地局と通信を行い、該基地局を介して他の通信端末と通信を行う携帯電話機において、
ケース外面に取り付けられた複数の発光素子と、
複数ビットからなるパターンを複数組み合わせたシーケンスパターンと、発信者識別番号とを対応させて記憶した第１の記憶手段と、
着信メロディ同期用のシーケンスパターンが記憶された第２の記憶手段と、
着信メロディを発生する着信メロディ発生手段と、
ユーザの指示に従って着信メロディ同期モード／発信者対応モードのいずれかを選択する選択手段と、
着信があった時、前記選択手段によって発信者対応モードが選択されていた場合は、発信者の発信者識別番号に基づいて前記第１の記憶手段からシーケンスパターンを読み出し、読み出したシーケンスパターンに従って前記複数の発光素子を駆動し、前記選択手段によって前記着信メロディ同期モードが選択されていた場合は、前記第２の記憶手段内のシーケンスパターンに従って前記複数の発光素子を駆動する発光素子駆動手段と、
を具備することを特徴とする携帯電話機。
【発明の詳細な説明】
【技術分野】
【０００１】
この発明は、着信時において発光素子による発信者表示を行う機能を備えた携帯電話機に関する。
【背景技術】
【０００２】
従来、携帯電話機において着信があった場合に、発信者が誰であるかを知るには、液晶表示器に表示された発信者の電話番号または氏名を確認する必要があった。この発信者確認を耳で聞いて行うことができるものとして、着信メロディと発信者を対応してメモリに登録しておき、着信時に発信者に対応する着信メロディを発生させることによって発信者確認ができるようにしたものが知られている（特許文献１、２参照）。
【特許文献１】特開平9-238178号公報
【特許文献２】特開平11-004282号公報
【発明の開示】
【発明が解決しようとする課題】
【０００３】
しかしながら、上述した着信メロディによる発信者確認は、音を出してはいけない環境においては使用できない欠点があった。
本発明は上記事情を考慮してなされたもので、その目的は、液晶表示器の表示によらないで発信者確認ができ、しかも、音を出してはいけない環境においても発信者確認を行うことができる携帯電話機を提供することにある。
【課題を解決するための手段】
【０００４】
請求項１に記載の発明は、無線通信によって基地局と通信を行い、該基地局を介して他の通信端末と通信を行う携帯電話機において、ケース外面に取り付けられた複数の発光素子と、複数ビットからなるパターンを複数組み合わせたシーケンスパターンと、発信者識別番号とを対応させて記憶した記憶手段と、着信があった時、発信者の発信者識別番号に基づいて前記記憶手段からシーケンスパターンを読み出す読出手段と、前記読出手段によって読み出されたシーケンスパターンによって前記複数の発光素子を駆動する発光素子駆動手段とを具備することを特徴とする携帯電話機である。
【０００５】
請求項２に記載の発明は、請求項１に記載の携帯電話機において、前記発光素子駆動手段は、クロックパルスをカウントするカウント手段と、前記読出手段によって読み出されたシーケンスパターンを記憶し、前記カウント手段の出力に基づいて前記シーケンスパターンを構成する各パターンを順次出力するパターン記憶部とから構成されていることを特徴とする。
【０００６】
請求項３に記載の発明は、無線通信によって基地局と通信を行い、該基地局を介して他の通信端末と通信を行う携帯電話機において、ケース外面に取り付けられた複数の発光素子と、複数ビットからなるパターンを複数組み合わせたシーケンスパターンと、発信者識別番号とを対応させて記憶した記憶手段と、着信メロディを発生する着信メロディ発生手段と、着信があった時、発信者の発信者識別番号に基づいて前記記憶手段からシーケンスパターンを読み出す読出手段と、前記着信メロディに同期したタイミングで、かつ、前記読出手段によって読み出されたシーケンスパターンに従って前記複数の発光素子を駆動する発光素子駆動手段とを具備することを特徴とする携帯電話機である。
【０００７】
請求項４に記載の発明は、無線通信によって基地局と通信を行い、該基地局を介して他の通信端末と通信を行う携帯電話機において、ケース外面に取り付けられた複数の発光素子と、複数ビットからなるパターンを複数組み合わせたシーケンスパターンと、発信者識別番号とを対応させて記憶した第１の記憶手段と、着信メロディ同期用のシーケンスパターンが記憶された第２の記憶手段と、着信メロディを発生する着信メロディ発生手段と、ユーザの指示に従って着信メロディ同期モード／発信者対応モードのいずれかを選択する選択手段と、着信があった時、前記選択手段によって発信者対応モードが選択されていた場合は、発信者の発信者識別番号に基づいて前記第１の記憶手段からシーケンスパターンを読み出し、読み出したシーケンスパターンに従って前記複数の発光素子を駆動し、前記選択手段によって前記着信メロディ同期モードが選択されていた場合は、前記第２の記憶手段内のシーケンスパターンに従って前記複数の発光素子を駆動する発光素子駆動手段とを具備することを特徴とする携帯電話機である。
【発明の効果】
【０００８】
本発明によれば、ケース外面に取り付けられた複数の発光素子と、複数ビットからなるパターンを複数組み合わせたシーケンスパターンと、発信者識別番号とを対応させて記憶した記憶手段と、着信があった時、前記発信者識別番号に基づいて前記記憶手段からシーケンスパターンを読み出す読出手段と、読出手段によって読み出されたシーケンスパターンによって複数の発光素子を駆動する発光素子駆動手段とを設けたので、発光素子の発光状態から発信者の確認ができ、これにより、音を出してはいけない環境においても発信者確認を行うことができる効果が得られる。また、本発明によれば、見た目にも変化に富んだ携帯電話機を提供することができる利点も得られる。
【発明を実施するための最良の形態】
【０００９】
以下、図面を参照し、この発明の実施の形態について説明する。図１はこの発明の一実施の形態による携帯電話機の構成を示すブロック図である。この図において、２は通信部であり、送信データを搬送波に乗せてアンテナ３から送信し、また、アンテナ３を介して着信した着信データを復調して制御部４または音声処理部（CODEC)５へ出力する。音声処理部５はマイクロフォン６から出力された音声信号をディジタルデータに変換し、さらに圧縮し送信データとして通信部２へ出力し、また、通信部２から出力される音声データをアナログ音声信号に変換し、イヤースピーカ７へ出力する。
【００１０】
制御部４は、各部を制御するＣＰＵおよび半導体メモリによって構成され、メモリにはＣＰＵが使用するプログラム、音源装置１を駆動するための着信メロディ用シーケンスデータおよび携帯電話機のケースに取り付けられた３個のＬＥＤ（発光ダイオード）９ａ〜９ｃを駆動するためのシーケンスパターン７が記憶されている。図２はシーケンスパターン７を示す図であり、この図に示すように、シーケンスパターン７は着信メロディ同期用のパターン７ａと、発信者表示用のパターン７ｂからなり、各パターンは３×８ビット構成となっている。
【００１１】
音源装置１は制御部４から出力されるシーケンスデータに基づいてディジタル楽音信号を生成し、Ｄ／Ａ変換器（図示略）を介してスピーカ８へ出力する。また、制御部４から出力されるシーケンスパターンに基づいてＬＥＤ９ａ〜９ｃを駆動する。なお、詳細は後述する。表示部１１はＬＣＤ（液晶）表示器および表示制御回路から構成され、制御部４から出力される表示データを表示する。入力部１２は、オフフックボタン、オンフックボタン、テンキー等の各種キーが設けられた操作部および各キーの出力を制御部４へ出力するインターフェイスから構成されている。
【００１２】
次に、音源装置１について図３を参照して詳述する。
図３において、シーケンサ２１は、制御部４から出力される着信メロディ用シーケンスデータＳＤを内部に記憶し、記憶したシーケンスデータＳＤに含まれる音高データ、音量データ、音色データ等の楽音データ、ＫＥＹ−ＯＮデータおよびＬＥＤ−ＯＮデータを、同シーケンスデータＳＤに含まれる時間データに従って順次読み出し、制御レジスタ２２、２３へセットする。この場合、ＬＥＤ−ＯＮデータ、ＫＥＹ−ＯＮデータ、楽音データはそれぞれ、制御レジスタ２２、２３のスロット２２ａ〜２２ｃおよび２３ａ〜２３ｃに書き込まれる。
【００１３】
制御レジスタ２２は、上述したシーケンサ２１によって書き込みが行われると共に、そのスロット２２ａには制御部４から出力されるデータＬ１（１ビット）が書き込まれる。すなわち、制御レジスタ２２のスロット２２ａには、シーケンサ２１によって書き込むこともできるし、制御部４によって書き込むこともできるようになっている。また、スロット２２ａのデータ（１ビット）はアンドゲート２５へ、スロット２２ｂのデータ（１ビット）はアンドゲート２５および発音子２６へ、スロット２２ｃのデータは発音子２６へ出力される。
【００１４】
同様に、制御レジスタ２３は、上述したシーケンサ２１によって書き込みが行われると共に、そのスロット２３ａには制御部４から出力されるデータＬ２（１ビット）が書き込まれる。すなわち、制御レジスタ２３のスロット２３ａには、シーケンサ２１によって書き込むこともできるし、制御部４によって書き込むこともできるようになっている。また、スロット２３ａのデータ（１ビット）はアンドゲート２８へ、スロット２３ｂのデータ（１ビット）はアンドゲート２８および発音子２９へ、スロット２３ｃのデータは発音子２９へ出力される。
【００１５】
発音子２６は、制御レジスタ２２から供給されるＫＥＹ−ＯＮデータおよび楽音データに基づいて、ＦＭ（周波数変調）方式によってディジタル楽音信号を生成し、加算回路３１へ出力する。発音子２９は、制御レジスタ２３から供給されるＫＥＹ−ＯＮデータおよび楽音データに基づいて、ＷＴ（波形テーブル）方式によってディジタル楽音信号を生成し、加算回路３１へ出力する。加算回路３１は発音子２６、２９の各出力を加算し、加算結果をＤ／Ａ変換器を介してスピーカ８へ出力する。
【００１６】
オアゲート３３はアンドゲート２５、２８の出力のオアをとり、その結果をセレクタ３４の第１入力端へ出力する。セレクタ３４は制御部４から出力されるモード信号ＭＯＤＥが”１”の時、第１入力端のオアゲート３３の出力を選択し、”０”の時、第２入力端へ供給されているクロックパルスＣＬＫを選択してカウンタ３５へ出力する。カウンタ３５は、３ビットのカウンタであり、セレクタ３４の出力を立ち上がりにおいてカウントし、カウント出力をシーケンスパターンレジスタ３６へ出力する。
【００１７】
シーケンスパターンレジスタ３６は、制御部４によって３×８ビットのシーケンスパターン（図２参照）が書き込まれるレジスタであり、カウンタ３５の出力に対応する３ビットのデータを出力する。すなわち、カウンタ３５の出力が「０」の時はスロットＳ０のデータを出力し、カウンタ３５の出力が「１」の時はスロットＳ１のデータを出力し、カウンタ３５の出力が「７」の時はスロットＳ７のデータを出力する。このように、シーケンスパターンレジスタ３６は複数のスロットを有し、各スロットに複数の発光素子の駆動態様が記憶される。
このシーケンスパターンレジスタ３６の出力はアンドゲート３８ａ〜３８ｃへ供給される。アンドゲート３８ａ〜３８ｃは制御部４から出力される制御データＤ０〜２によってオン／オフ制御されるゲートであり、その出力はアンドゲート３９ａ〜３９ｃへ供給される。アンドゲート３９ａ〜３９ｃは制御部４から出力される制御データＯＮ／ＯＦＦによってオン／オフ制御されるゲートであり、その出力はケースに設けられた３個のＬＥＤ９ａ〜９ｃへ出力される。
【００１８】
次に、上述した音源装置１の動作を説明する。
制御部４からシーケンサ２１へ着信メロディ再生スタート指示が入力されると、シーケンサ２１が内部に保持している着信メロディのシーケンスデータを順次読み出して解読し、その結果に従って楽音データ、ＫＥＹ−ＯＮデータおよびＬＥＤ−ＯＮデータを制御レジスタ２２、２３へ設定する。制御レジスタ２２のスロット２２ｂ、２２ｃに設定されたデータおよび制御レジスタ２３のスロット２３ｂ、２３ｃに設定されたデータは各々発音子２６、２９へ出力され、これにより、発音子２６、２９においてディジタル楽音信号が生成され、加算回路３１へ出力される。加算回路３１は発音子２６、２９の出力を加算してスピーカ８へ出力する。これにより、スピーカ８から着信メロディが発生する。
【００１９】
いま、予め、着信メロディのシーケンスデータに制御レジスタ２２のスロット２２ａのＬＥＤ−ＯＮデータとして”１”が設定され、制御レジスタ２３のスロット２３ａのＬＥＤ−ＯＮデータとして”０”が設定されていたとする。また、モード信号ＭＯＤＥ、制御データＤ０〜２、制御データＯＮ／ＯＦＦとして各々”１”が設定されているとする。この場合、制御レジスタ２２のスロット２２ｂのＫＥＹ−ＯＮデータが”１”になる毎にアンドゲート２５の出力が”１”となり、オアゲート３３および第１入力端が選択されているセレクタ３４を介してカウンタ３５へ供給される。これにより、ＫＥＹ−ＯＮデータが”１”となる毎にカウンタ３５がアップカウントされ、シーケンスパターンレジスタ３６から３ビットのパターンが順次出力され、アンドゲート３８ａ〜３８ｃ、３９ａ〜３９ｃを介してＬＥＤ９ａ〜９ｃへ供給される。これにより、ＬＥＤ９ａ〜９ｃがシーケンスパターンレジスタ３６内のパターンにしたがって、発音子２６のＫＥＹ−ＯＮのタイミングで点灯制御される。図４（ａ）に、この場合のＫＥＹ−ＯＮデータとＬＥＤ９ａ〜９ｃの点灯状態との関係を示す。この図は、図３の下部に示すパターンに基づく点灯状態を示している。
【００２０】
また、着信メロディのシーケンスデータに制御レジスタ２２のスロット２２ａのＬＥＤ−ＯＮデータとして”０”が設定され、制御レジスタ２３のスロット２３ａのＬＥＤ−ＯＮデータとして”１”が設定されていた場合は、ＬＥＤ９ａ〜９ｃが発音子２９のＫＥＹ−ＯＮのタイミングで点灯制御される。
また、制御データＬ１として”１”が制御部４から出力された場合は、シーケンスデータにかかわらず制御レジスタ２２のスロット２２ａに”１”が設定され、制御データＬ２として”１”が出力された場合は、シーケンスデータにかかわらず制御レジスタ２３のスロット２３ａに”１”が設定される。
【００２１】
また、モード信号ＭＯＤＥとして”０”が設定された場合は、クロックパルスＣＬＫがセレクタ３４を介してカウンタ３５へ供給される。これにより、シーケンスパターンレジスタ３６内のパターンがクロックパルスＣＬＫのタイミングで読み出され、ＬＥＤ９ａ〜９ｃへ供給される。図４（ｂ）に、この場合のクロックパルスＣＬＫとＬＥＤ９ａ〜９ｃの点灯状態との関係を示す。
【００２２】
また、制御データＤ０〜２はＬＥＤ９ａ〜９ｃのオン／オフを個別に制御するための制御データであり、例えば制御データＤ０〜２として”１１０”が設定された場合は、ＬＥＤ９ａ、９ｂが駆動され、ＬＥＤ９ｃはオフとなる。
また、制御データＯＮ／ＯＦＦはＬＥＤ９ａ〜９ｃの全部をまとめてオン／オフ制御するデータである。
【００２３】
次に、図１に示す携帯電話機の動作を図５、図６を参照して説明する。
（１）初期設定動作（図５）
携帯電話機の電源がオンとされると、制御部４は、まず、着信メロディのシーケンスデータを音源装置１のシーケンサ２１に設定し（図５のステップＳａ１）、次に、ＬＥＤ９ａ〜９ｃ点灯制御用のシーケンスパターンをシーケンスパターンレジスタ３６に設定する（ステップＳａ２）。なお、これらのシーケンスデータおよびシーケンスパターンは予めユーザによって選択されているものとする。次に、制御部４は、発信者Ｎｏ（電話番号）とシーケンスパターンとを対応させて内部のメモリに設定する（ステップＳａ３；図２のパターン７ｂ参照）。この場合、ユーザが各パターンをそれぞれ操作部のキーを使用して設定してもよく、また、予め用意されたパターンをユーザが選択して設定するようにしてもよい。
【００２４】
次に、制御部４は、着信メロディ同期モードか発信者Ｎｏ対応モードかを選択するための画面を表示部１１に表示し、ユーザが入力部１２のキーを操作することによっていずれかを選択すると、その選択を受けてモード設定を行う（ステップＳａ４）。次に、ＬＥＤオン／オフ選択のための画面を表示部１１に表示し、ユーザの選択に従ってＬＥＤオン／オフの設定を行う（ステップＳａ５）。すなわち、ユーザがＬＥＤオンを選択した場合はアンドゲート３９ａ〜３９ｃ（図３）へ制御データＯＮ／ＯＦＦとして”１”を出力し、ユーザがＬＥＤオフを選択した場合はアンドゲート３９ａ〜３９ｃ（図３）へ制御データＯＮ／ＯＦＦとして”０”を出力する。
【００２５】
（２）着信時動作（図６）
外部からの着信があると、通信部２が着信通知を制御部４へ出力する。制御部４は着信通知を受け、まず、着信メロディ再生スタートの指示を音源装置１のシーケンサ２１へ出力する（ステップＳｂ１)。次に、制御部４は、着信メロディ同期モードが設定されているか発信者Ｎｏ対応モードが設定されているかを判断する（ステップＳｂ２）。そして、その判断結果が「ＹＥＳ」（着信メロディ同期モード）であった場合は、モード信号ＭＯＤＥとして”１”を、制御データＤ０〜２として”１１１”を出力する（ステップＳｂ３）。以上の処理により、音源装置１において着信メロディの楽音信号が生成されてスピーカ８へ出力され、スピーカ８から着信音が発生する。また、シーケンスパターンレジスタ３６内のパターンが発音子２６または発音子２９のＫＥＹ−ＯＮタイミングで出力され、このパターンに基づいてＬＥＤ９ａ〜９ｃが駆動される。
【００２６】
次に、オフフックボタンがオンとされたか否かが判断され（ステップＳｂ４）、その判断結果が「ＮＯ」の場合は、相手方のコール要求が持続しているか否かが判断される（ステップＳｂ５）。そして、その判断結果が「ＹＥＳ」の場合はステップＳｂ４へ戻り、以後、ステップＳｂ４、Ｓｂ５の判断が繰り返えされる。またその間、音源装置１によって着信メロディの楽音信号の生成およびＬＥＤ９ａ〜９ｃの点灯制御が行われる。
そして、ステップＳｂ５の判断結果が「ＮＯ」となった場合は、制御部４が着信メロディ再生ストップ指令をシーケンサ２１へ出力する（ステップＳｂ６）。シーケンサ２１はこの指令を受け、制御レジスタ２２、２３をクリアする。これにより、着信メロディが停止し、同時に、ＬＥＤ９ａ〜９ｃのパターン駆動が終了する。
【００２７】
また、着信メロディを聴いたユーザがオフフックボタンを押した場合は、ステップＳｂ４の判断が「ＹＥＳ」となり、ステップＳｂ７へ進む。ステップＳｂ７では、制御部４が着信メロディ再生ストップ指令をシーケンサ２１へ出力する。これにより、着信メロディが停止し、同時に、ＬＥＤ９ａ〜９ｃのパターン駆動が終了する。次に、制御部４は通話に関する処理を行い（ステップＳｂ８）、次いで、オンフックボタンがオンとされたか否かを判断する（ステップＳｂ９）。そして、その判断結果が「ＮＯ」の場合はステップＳｂ８へ戻り、以後、オンフックボタンがオンとされるまで、ステップＳｂ８、Ｓｂ９の処理を繰り返す。
【００２８】
そして、ユーザによってオンフックボタンがオンとされると、ステップＳｂ９の判断結果が「ＹＥＳ」となり、制御部４が回線切断を行う（ステップＳｂ１０）。次いで、制御部４が制御データＤ０〜２を”０００”とする（ステップＳｂ１１）。これによりＬＥＤ９ａ〜９ｃが消灯する。
このように、着信メロディ同期モードに設定された場合は、ＬＥＤ９ａ〜９ｃが着信メロディに同期して、かつ、シーケンスパターンレジスタ３６内のパターンに従って点灯制御される。これにより、携帯電話の着信を見た目でも変化に富んだものとすることができる。
【００２９】
次に、発信者Ｎｏ対応モードに設定された場合は、上述したステップＳｂ２の判断結果が「ＮＯ」となり、ステップＳｂ１２へ進む。ステップＳｂ１２では、制御部４が発信者Ｎｏに対応するシーケンスパターン（図２）をメモリから読み出し、シーケンスパターンレジスタ３６（図３）に設定する。次に、モード信号ＭＯＤＥとして”０”をセレクタ３４へ出力し、次いで制御データＤ０〜２として”１１１”をアンドゲート３８ａ〜３８ｃへ出力する（ステップＳｂ１３）。
【００３０】
上述したステップＳｂ１、Ｓｂ２、Ｓｂ１２、Ｓｂ１３が実行されると、音源装置１において着信メロディの楽音信号が生成されてスピーカ８へ出力され、スピーカ８から着信音が発生する。また、クロックパルスＣＬＫがセレクタ３４を介してカウンタ３５へ供給され、カウンタ３５がクロックパルスＣＬＫの立ち上がりをカウントアップする。このカウンタ３５の出力によってシーケンスパターンレジスタ３６内のパターンが順次読み出され、アンドゲート３８ａ〜３８ｃ、３９ａ〜３９ｃを介してＬＥＤ９ａ〜９ｃへ供給され、これにより、ＬＣＤ９ａ〜９ｃが発信者Ｎｏに対応するパターンで駆動される。以後、制御部４は、前述したステップＳｂ４〜Ｓｂ１１の処理を行う。
このように、発信者Ｎｏ対応モードに設定された場合は、ＬＥＤ９ａ〜９ｃが発信者Ｎｏに対応したパターンで駆動される。したがって、ユーザはＬＥＤ９ａ〜９ｃの点灯状態によって発信者を知ることができる。
【００３１】
なお、上記実施形態は、３個の単色ＬＥＤ９ａ〜９ｃが音源装置１によってパターン駆動されるようになっているが、これに代えて、赤色ＬＥＤ、青色ＬＥＤ、緑色ＬＥＤを１つのカプセル中に近接配置した表示素子を、シーケンスパターンレジスタ３６内のパターンによって駆動してもよい。この場合、該表示素子の色がパターンに基づいて８色に変化する。また、発信者Ｎｏに対応して表示素子の色が変わるようにしてもよい。
また、上記実施形態においては発音子が２個のみ設けられているが、実際の音源装置においては、多数（例えば６４）の発音子が設けられ、例えば、リズム音の発音子のキーオン信号に基づいてカウンタ３５が駆動される。
【００３２】
また、上記実施形態は、発信者Ｎｏ対応のパターンをクロックパルスＣＬＫのタイミングで変化させているが、発信者Ｎｏ対応モードの時もモード信号ＭＯＤＥを”１”とし、着信メロディに同期させて発信者Ｎｏ対応パターンを変化させてもよい。
また、上記実施形態において、ユーザが発信者Ｎｏ対応パターンを設定した時、そのパターンによって実際にＬＥＤ９ａ〜９ｃをテスト駆動し、表示確認ができるようにしてもよい。
【図面の簡単な説明】
【００３３】
【図１】この発明の一実施形態による携帯電話機の構成を示すブロック図である。
【図２】図１における制御部４内に保持されているシーケンスパターン７を示す図である。
【図３】図１における音源装置１の構成を示す図である。
【図４】図１におけるＬＥＤ９ａ〜９ｃの駆動タイミングを示す図である。
【図５】図１に示す携帯電話機の起動時の動作を説明するためのフローチャートである。
【図６】図１に示す携帯電話機の着信時の動作を説明するためのフローチャートである。
【符号の説明】
【００３４】
１…音源装置、４…制御部、７…シーケンスパターン、８…スピーカ、９ａ〜９ｃ…ＬＥＤ、２１…シーケンサ、２２，２３…制御レジスタ、２２ａ〜２２ｃ、２３ａ〜２３ｃ…記憶スロット、２５、２８…アンドゲート、２６、２９…発音子、３３…オアゲート、３４…セレクタ、３５…カウンタ、３６…シーケンスパターンレジスタ、３８ａ〜３８ｃ、３９ａ〜３９ｃ…アンドゲート
【図１】
2005136489.tif 000003
【図２】
2005136489.tif 000004
【図３】
2005136489.tif 000005
【図４】
2005136489.tif 000006
【図５】
2005136489.tif 000007
【図６】
2005136489.tif 000008